(57)【要約】【課題】折り畳み式携帯電話の表示画面を拡大視認する事ができ、折り畳み式携帯電話の開閉動作に対応して操作収納が可能で、通話時には受話スピーカーと耳や頬に挟まれことがなく、内側カメラでの撮影にも邪魔にならない折り畳み式携帯電話の表示画面拡大レンズの提供。【解決手段】折り畳み式携帯電話の表示画面拡大レンズであり、フレネルレンズと装着部で構成され、装着部を押し釦部の蝶番部手前に固着して、前記フレネルレンズを蝶番部分の突起部に立て掛けて、表示画面との焦点距離を確保し表示画面の拡大視認を可能にした。該フレネルレンズを押し釦部側に倒す事で、表示画面部をフレネルレンズが覆う事はなくなり、通話と内側カメラでの撮影を邪魔しない。また、折り畳まれた携帯電話の押し釦部と表示画面部とに挟まれて収納される事を特徴とする。【選択図】図１
0003120638.tif 000002
【実用新案登録請求の範囲】
【請求項１】
携帯電話の表示画面を拡大するレンズで、フレネルレンズと装着部で構成され、携帯電話における押し釦部の蝶番部手前に装着部を粘着加工もしくは両面テープにより固着し、折り畳み式携帯電話の蝶番部分の突起部に該フレネルレンズを立て掛ける形態で、表示画面との焦点距離を確保し、表示画面の拡大視認ができる、折り畳み式携帯電話の表示画面拡大レンズ。
【請求項２】
前記フレネルレンズと装着部は樹脂もしくは不織布などの疲労切断に強い材質のテープによって、同一平面上の片側一方の面で接合される。該テープがフレネルレンズと装着部との蝶番としての役割を果し、通話時および内側カメラでの撮影時には、フレネルレンズを押し釦部側に倒す事で、受話用スピーカーと内側カメラが装備されている表示画面部にフレネルレンズが覆い被さることはなく、通話と内側カメラでの撮影を邪魔せず、携帯電話を折り畳んでも押し釦部と表示画面部に挟まれて収納される特徴を有する請求項１記載の折り畳み式携帯電話の表示画面拡大レンズ。
【考案の詳細な説明】
【技術分野】
【０００１】  本考案は、折り畳み式携帯電話の表示画面を拡大して視認する、折り畳み式携帯電話の表示画面拡大レンズに関するものである。
【背景技術】
【０００２】  従来の技術は、復元力を有した支持腕もしくは弾性体によって表示画面の真上にレンズを持ち上げて焦点距離を確保し、表示画面を拡大視認する構成になっている。【０００３】  従って、表示画面部に装備されている受話用スピーカーに耳をあてて通話する場合に、表示画面の真上に持ち上げられたレンズが障害となる。レンズにスピーカー用の穴を開けて対処してはいるが、該レンズがスピーカーと耳や頬との間に挟まれ、電話機と該レンズとの擦過音など雑音の原因にもなる。同様に表示画面部に装備されている内側カメラでの撮影も、表示画面真上の該レンズがカメラの視界に入り邪魔となる欠点があった。
【特許文献１】特開２００４−２８２５２３号公報
【考案の開示】
【考案が解決しようとする課題】
【０００４】  本考案は以上のような欠点に鑑み、折り畳まれた携帯電話の押し釦部と表示画面部とに挟まれて収納され、通話時には受話用スピーカーと耳や頬に挟まれる事もなく、内側カメラでの撮影にもカメラの視界に入るなど、その撮影を邪魔しない折り畳み式携帯電話の表示画面拡大レンズの提供を目的とする。【０００５】  本考案の前記及びその他の目的と新規な特徴は、次の説明を添付図面と照らし合わせて読むと明確になる。但し、図面は解説の為のもので、本考案の記述範囲を限定しない。
【課題を解決するための手段】
【０００６】  上記目的を達成する為、本考案は請求項１を構成要件とする、携帯電話における押し釦部の蝶番部手前に装着部の粘着加工もしくは両面テープでフレネルレンズを固着し、蝶番部分の突起部に該フレネルレンズを立て掛けて表示画面との焦点距離を確保し、表示画面の拡大視認を可能にした、折り畳み式携帯電話の表示画面拡大レンズ。【０００７】  請求項２を構成要件とする、該フレネルレンズは、装着部と同一平面上の片側一方の面で、樹脂もしくは不織布などの疲労切断に強い材質のテープで接合され、該テープが蝶番の役割を果たして、押し釦部に固着された装着部を支点に半円軌道の往復運動をするので、通話時および内側カメラ撮影時には、該フレネルレンズを押し釦部側に倒す事で、受話用スピーカーと内側カメラが装備されている表示画面部に覆い被さる事はなく、通話と内側カメラでの撮影を邪魔しない。また、携帯電話を折り畳んでも押し釦部と表示画面部とに挟まれて収納される折り畳み式携帯電話の表示画面拡大レンズ。
【考案の効果】
【０００８】  以上の説明から明らかなように、本考案にあっては次に列挙する効果が得られる。
（１）請求項１の構成によって、表示画面部の真上に常時レンズが持ち上げら、表示画面をレンズが覆っている状態ではなくなり、メールや写真、インターネットのダウンロード画像およびテレビ等の動画を視認するなど表示画面の拡大視認が必要な時に、蝶番部分の突起部に該フレネルレンズを立て掛けるだけのシンプルな操作で、表示画面を拡大視認できる。【０００９】（２）請求項２の構成によって、通話時と内側カメラ撮影時には該フレネルレンズを押し釦部側に倒すとはしているが、携帯電話を開いて耳に当てる通常の通話体勢及び内側カメラの電話機を縦に立てた撮影体勢では、必然的に押し釦部側が下になりフレネルレンズは自重によって押し釦部側に垂れ下がる、従って実際の使用状況では特別な操作を必要とせずに通話と内側カメラの撮影に該フレネルレンズは邪魔にならない。携帯電話の開閉動作にも影響を与えず、携帯電話の外観と携行性を阻害しないように、押し釦部と表示画面部とに挟まれて収納することができる。【００１０】（３）該フレネルレンズが、電話着信時に押し釦部側に倒れていて押し釦に覆い被さっていても、厚さ０．４ｍｍ前後のプラスチック素材でできているフレネルレンズは弾性を有しているため、該フレネルレンズの上からでも着信釦を押すことができるので、スムーズに電話にでることができる。また、該フレネルレンズは押し釦部に装備されているマイクを覆う事はあっても密着して封じる事はないので、通常どおり音声による通話ができる。
【考案を実施するための最良の形態】
【００１１】  以下、図面に示す考案を実施するための最良の形態により、本考案を説明する。【００１２】  図１は本考案の実施形態に係る使用状態における斜視図であり、図２は図１の側面図あって、本考案を実施するため最良の形態である。装着部２を押し釦部５の蝶番部７手前に固着し、蝶番部７にフレネルレンズ１を立て掛けて表示画面８との焦点距離を確保して、表示画面８の拡大視認を可能にしている。フレネルレンズ１の縦横のサイズと、装着部２の形状は、携帯電話の機種ごとに違うサイズと押し釦部５の形状にあわせる。【００１３】  図３は、本考案の実施形態に係る収納過程における側面図で、携帯電話を折り畳んでゆく過程のフレネルレンズ１の収納動作であり、押し釦部５側にフレネルレンズ１が倒される様子と、表示画面部６に挟まれて収納される過程を示している。【００１４】  図４は、本考案の平面図で、フレネルレンズ１と装着部２が樹脂もしくは不織布などの疲労切断に強い材質のテープ３によって同一平面上の片側一方の面で接合されている状況を表している。図５は本考案の側面図であり、フレネルレンズ１と装着部２がテープ３によって同一平面上の片側一方の面で接合され、その裏面となる装着部２の固着面に粘着加工もしくは両面テープ４が施されていることを表している。
【実施例】
【００１５】  上記構成の折り畳み式携帯電話の表示画面拡大レンズは、図３では装着部２がフレネルレンズ１と折り重なって倒れるが、携帯電話の機種や形状にあわせ、該フレネルレンズ１の裏表を反対にして固着し、収納時にフレネルレンズ１と装着部２とが折り重なる事なく同一平面を構成するよう設置する事で、機種に合ったより有効な効果が得られる。【００１６】  フレネルレンズ１が装着部２との接合部分を支点に半円軌道で動く単純な構造である為に、携帯電話のデザインに合わせて、固着箇所と固着形式及び形状を選択することで、携帯電話の機種に合った最良の効果を得る事ができる。押し釦部５に装着部２の固着スペースが確保できない機種の携帯電話でも、図６が示すとおり表示画面部６の蝶番部７付近に装着部２を固着し、手指でフレネルレンズ１を持ち上げて表示画面８との焦点距離を確保し、表示画面を拡大視認することができる。この場合も、押し釦部５側にフレネルレンズ１が倒れる事で、通話と内側カメラの撮影に影響を与えない。
【図面の簡単な説明】
【００１７】
【図１】本考案の実施形態に係る使用状態における斜視図である。
【図２】本考案の実施形態に係る使用状態における側面図である。
【図３】本考案の実施形態に係る収納過程における側面図である。
【図４】本考案の平面図である。
【図５】本考案の側面図である。
【図６】本考案の上記と異なる実施形態に係る使用状態における側面図である。
【符号の説明】
【００１８】１  フレネルレンズ
２  装着部
３  テープ
４  粘着加工もしくは両面テープ
５  押し釦部
６  表示画面部
７  蝶番部
８  表示画面
【図１】
0003120638.tif 000003
【図２】
0003120638.tif 000004
【図３】
0003120638.tif 000005
【図４】
0003120638.tif 000006
【図５】
0003120638.tif 000007
【図６】
0003120638.tif 000008
【手続補正書】
【提出日】平成18年1月12日(2006.1.12)
【手続補正１】
【補正対象書類名】実用新案登録請求の範囲
【補正対象項目名】請求項２
【補正方法】変更
【補正の内容】
【請求項２】
前記フレネルレンズと装着部は樹脂もしくは不織布などの疲労切断に強い材質のテープを用いて、同一平面上の片側一方の面で接合させる為、該テープがフレネルレンズと装着部とを繋ぐ蝶番の機能を果たして、フレネルレンズを押し釦部側に倒す事が可能となって、受話用スピーカーと内側カメラが装備されている表示画面部にフレネルレンズが覆い被る事はなくなり、通話と内側カメラでの撮影も邪魔するはことなく、携帯電話が折り畳まれても押し釦部と表示画面部とに挟まれて収納される事を特徴とする、請求項１記載の折り畳み式携帯電話の表示画面拡大レンズ。